(57)【要約】【課題】ユーザーの利便性を向上させることができる消耗品管理システムを提供する。【解決手段】消耗品管理システム１００は、消耗品２００を管理する管理システムである。消耗品管理システム１００は、消耗品２００と、情報処理装置４００と、複数の固定通信装置３００とを備える。消耗品２００は、消耗品記憶部２１０と、消耗品通信装置２２０とを含む。情報処理装置４００は、情報処理記憶部４１０と、制御部４３０とを有する。制御部４３０は、複数の固定通信装置３００のうちの少なくとも１つの固定通信装置３００から受信した信号を解析して、消耗品２００が配置されている配置位置を特定する。制御部４３０は、配置位置に基づいて、保管場所のうちから消耗品２００が保管された保管場所を判定する。制御部４３０は、判定した保管場所に対応する部門に関連付けて、情報処理記憶部４１０に識別情報を記憶させる。【選択図】図１
2019064758.tif 000002
【特許請求の範囲】
【請求項１】
電子機器に対して着脱可能である消耗品を管理する管理システムであって、
消耗品と、
前記消耗品と前記消耗品を使用する部門との対応関係を記憶する情報処理装置と、
前記消耗品および前記情報処理装置と通信する複数の固定通信装置とを備え、
前記消耗品は、消耗品記憶部と、消耗品通信装置とを含み、
前記消耗品記憶部は、前記消耗品を識別する識別情報を記憶し、
前記消耗品通信装置は、前記識別情報を示す識別信号を送信し、
前記固定通信装置は、前記識別信号を受信すると、前記識別信号を前記情報処理装置に送信し、
前記情報処理装置は、
前記識別情報を記憶する情報処理記憶部と、
前記情報処理記憶部に前記識別情報を記憶させる制御部と
を有し、
前記情報処理記憶部は、保管場所ごとに、前記保管場所を使用する部門をさらに記憶し、
前記保管場所には、前記消耗品が保管され、
前記制御部は、
前記複数の固定通信装置のうちの少なくとも１つの固定通信装置から受信した信号を解析して、前記消耗品が配置されている配置位置を特定し、
前記配置位置に基づいて、前記保管場所のうちから前記消耗品が保管された保管場所を判定し、
判定した前記保管場所に対応する前記部門に関連付けて、前記情報処理記憶部に前記識別情報を記憶させる、消耗品管理システム。
【請求項２】
電子機器に対して着脱可能である消耗品を管理する管理システムであって、
消耗品と、
前記消耗品と前記消耗品を使用する部門との対応関係を記憶する情報処理装置と、
前記消耗品および前記情報処理装置と通信するユーザー通信装置と
を備え、
前記消耗品は、消耗品記憶部と、消耗品通信装置とを含み、
前記消耗品記憶部は、前記消耗品を識別する識別情報を記憶し、
前記消耗品通信装置は、前記識別情報を示す識別信号を送信し、
前記ユーザー通信装置は、ユーザーによって携帯され、
前記情報処理装置は、
前記識別情報を記憶する情報処理記憶部と、
前記情報処理記憶部に前記識別情報を記憶させる制御部と
を有し、
前記ユーザー通信装置は、
前記ユーザーに関するユーザー情報が記憶されているユーザー記憶部と、
前記識別信号を受信すると、前記識別信号と前記ユーザー情報を示すユーザー情報信号とを前記情報処理装置に送信するユーザー通信部と
を有し、
前記制御部は、
前記ユーザー情報に基づいて、前記ユーザーが属する部門を判定し、
判定した前記部門に関連付けて、前記情報処理記憶部に前記識別情報を記憶させる、消耗品管理システム。
【請求項３】
前記情報処理記憶部は、前記ユーザーを識別する情報ごとに、前記ユーザーの属する部門を記憶し、
前記ユーザー情報は、前記ユーザーを識別する情報を含む、請求項２に記載の消耗品管理システム。
【請求項４】
前記ユーザー情報は、ユーザーが属する部門を示す情報を含む、請求項２に記載の消耗品管理システム。
【請求項５】
電子機器に対して着脱可能である消耗品を管理する管理システムであって、
消耗品と、
前記消耗品と前記消耗品を使用する部門との対応関係を記憶する情報処理装置と、
前記消耗品および前記情報処理装置と通信する複数の固定通信装置と、
前記消耗品および前記情報処理装置と通信するユーザー通信装置と、
前記情報処理装置と通信する端末と
を備え、
前記消耗品は、消耗品記憶部と、消耗品通信装置とを含み、
前記消耗品記憶部は、前記消耗品を識別する識別情報を記憶し、
前記消耗品通信装置は、前記識別情報を示す識別信号を送信し、
前記情報処理装置は、
前記識別情報を記憶する情報処理記憶部と、
前記情報処理記憶部に前記識別情報を記憶させる制御部と
を有し、
前記情報処理記憶部は、保管場所ごとに、前記保管場所を使用する部門をさらに記憶し、
前記保管場所には、前記消耗品が保管され、
前記固定通信装置は、前記識別信号を受信すると、前記識別信号を前記情報処理装置に送信し、
前記ユーザー通信装置は、
ユーザーに関するユーザー情報が記憶されているユーザー記憶部と、
前記識別信号を受信すると、前記識別信号と前記ユーザー情報を示すユーザー情報信号とを前記情報処理装置に送信するユーザー通信部と
を有し、
前記制御部は、
前記ユーザー情報に基づいて、前記ユーザーが属する部門を判定し、
前記複数の固定通信装置のうちの少なくとも１つの固定通信装置から受信した信号を解析して、前記消耗品が配置されている配置位置を特定し、
前記配置位置に基づいて、前記保管場所のうちから前記消耗品が保管された保管場所を判定し、
判定した前記保管場所に対応する前記部門を特定し、
前記ユーザー情報に対応する前記部門を示すユーザー対応部門と、前記保管場所に対応する前記部門を示す保管場所対応部門とが一致するか否かを判定し、
前記ユーザー対応部門と、前記保管場所対応部門とが一致する場合、前記ユーザー対応部門と前記保管場所対応部門とが示す部門に関連付けて、前記情報処理記憶部に前記識別情報を記憶させ、
前記ユーザー対応部門と、前記保管場所対応部門とが一致しない場合、前記ユーザー対応部門と前記保管場所対応部門とが一致しない前記消耗品の前記識別情報を前記端末に通知する、消耗品管理システム。
【請求項６】
前記情報処理記憶部は、前記ユーザーを識別する情報ごとに、前記ユーザーの属する部門を記憶し、
前記ユーザー情報は、前記ユーザーを識別する情報を含む、請求項５に記載の消耗品管理システム。
【請求項７】
前記ユーザー情報は、ユーザーが属する部門を示す情報を含む、請求項５に記載の消耗品管理システム。
【請求項８】
前記固定通信装置は、前記ユーザー通信装置とさらに通信し、
前記制御部は、
前記複数の固定通信装置のうちの少なくとも１つの固定通信装置から受信した信号を解析して、前記消耗品が前記ユーザーと共に移動しているか否かを判定し、
前記消耗品が前記ユーザーと共に移動していると判定した場合、前記消耗品の前記識別情報に関連付けられた部門と、前記ユーザーが属する部門とが一致するか否かを判定し、
前記消耗品の前記識別情報に関連付けられた部門と、前記ユーザーが属する部門とが一致しない場合、前記消耗品の前記識別情報を前記端末に通知する、請求項５から請求項７のいずれか１項に記載の消耗品管理システム。
【請求項９】
前記消耗品の前記識別情報に関連付けられた部門と、前記ユーザーが属する部門とが一致しない場合、前記制御部は、前記消耗品の前記識別情報と共に前記ユーザー情報を前記端末に通知する、請求項８に記載の消耗品管理システム。
【請求項１０】
前記制御部は、前記消耗品が前記ユーザーと共に移動していないと判定した場合、前記ユーザーと共に移動していない前記消耗品の前記識別情報を前記端末に通知する、請求項８または請求項９に記載の消耗品管理システム。
【請求項１１】
前記制御部は、前記消耗品の前記識別情報と共に、前記消耗品の移動の軌跡を示す搬送経路を前記端末に通知する、請求項８から請求項１０のいずれか１項に記載の消耗品管理システム。
【請求項１２】
電子機器に対して着脱可能である消耗品を管理する管理システムであって、
消耗品と、
前記消耗品と前記消耗品を使用する部門との対応関係を記憶する情報処理装置と、
前記電子機器に設けられ、前記消耗品および前記情報処理装置と通信する電子機器通信装置と
を備え、
前記消耗品は、消耗品記憶部と、消耗品通信装置とを含み、
前記消耗品記憶部は、前記消耗品を識別する識別情報を記憶し、
前記消耗品通信装置は、前記識別情報を示す識別信号を送信し、
前記情報処理装置は、
前記識別情報を記憶する情報処理記憶部と、
前記情報処理記憶部に前記識別情報を記憶させる制御部と
を有し、
前記電子機器通信装置は、
前記電子機器に関する電子機器情報が記憶されている電子機器記憶部と、
前記消耗品が所定の範囲内に近づくと前記消耗品から前記識別信号を受信し、前記識別信号と前記電子機器情報を示す電子機器情報信号とを前記情報処理装置に送信する電子機器通信部と
を有し、
前記制御部は、
前記電子機器情報に基づいて、前記電子機器の部門を判定し、
判定した前記部門に関連付けて、前記情報処理記憶部に前記識別情報を記憶させる、消耗品管理システム。
【請求項１３】
前記情報処理記憶部は、前記電子機器を識別する情報ごとに、前記電子機器が使用される部門を記憶し、
前記電子機器情報は、前記電子機器を識別する情報を含む、請求項１２に記載の消耗品管理システム。
【請求項１４】
前記電子機器情報は、前記電子機器が使用される部門を示す情報を含む、請求項１２に記載の消耗品管理システム。
【請求項１５】
前記電子機器に設けられ、前記消耗品および前記情報処理装置と通信する電子機器通信装置と、
前記情報処理装置と通信する端末と
をさらに備え、
前記電子機器通信装置は、
前記電子機器に関する電子機器情報が記憶されている電子機器記憶部と、
前記消耗品が所定の範囲内に近づくと前記消耗品から前記識別信号を受信し、前記識別信号と前記電子機器情報を示す電子機器情報信号とを前記情報処理装置に送信する電子機器通信部と
を有し、
前記制御部は、
前記電子機器情報に基づいて、前記電子機器の部門を判定し、
前記電子機器通信部から受信した前記識別信号が示す前記識別情報が、前記部門と関連付けられて前記情報処理記憶部に記憶されているかを判定し、
前記識別情報が前記情報処理記憶部に既に記憶されている場合、前記制御部は、前記電子機器通信部から受信した前記電子機器情報に対応する前記部門と、前記情報処理記憶部に記憶している前記識別情報に対応する前記部門とが一致するか否かを判定し、
前記電子機器情報に対応する前記部門と、前記情報処理記憶部に記憶している前記識別情報に対応する前記部門とが一致していない場合、前記制御部は、前記端末に前記部門が一致していないことを通知する、請求項１から請求項１１のいずれか１項に記載の消耗品管理システム。
【請求項１６】
前記電子機器に設けられ、前記消耗品および前記情報処理装置と通信する電子機器通信装置をさらに備え、
前記情報処理記憶部は、前記消耗品ごとに、前記識別情報に関連付けて使用期限をさらに記憶しており、
前記電子機器通信装置は、前記消耗品が所定の範囲内に近づくと前記消耗品から前記識別信号を受信し、前記識別信号を前記情報処理装置に送信し、
前記制御部は、前記電子機器通信装置から受信した前記識別信号が示す前記識別情報に関連付けられた使用期限よりも、使用期限切れに近い前記消耗品があるか否かを判定し、使用期限切れに近い前記消耗品がある場合、使用期限切れに近い前記消耗品があることを示す情報を前記電子機器を使用するユーザーに通知する、請求項１から請求項１１のいずれか１項に記載の消耗品管理システム。
【請求項１７】
電子機器に対して着脱可能である複数の消耗品を管理する管理システムであって、
複数の消耗品と、
情報処理装置と
を備え、
前記複数の消耗品の各々は、消耗品記憶部と、消耗品通信装置と、消耗品制御部とを含み、
前記消耗品記憶部は、前記消耗品を識別する識別情報を記憶し、
前記消耗品通信装置は、対応する前記消耗品記憶部に記憶された前記識別情報を示す信号を送信し、
前記消耗品制御部は、対応する前記消耗品記憶部および消耗品通信装置を制御し、
前記情報処理装置は、前記消耗品通信装置の各々と通信し、
前記消耗品通信装置は所定の範囲内において互いに通信可能であり、
前記複数の消耗品は第１消耗品と第２消耗品とを含み、
前記第１消耗品は、保管場所に保管されており、前記第２消耗品は前記第１消耗品が保管された後に、前記保管場所に保管され、
前記第１消耗品と前記第２消耗品とが前記所定の範囲内に位置すると、前記第１消耗品または前記第２消耗品の前記消耗品通信装置が、前記第１消耗品の前記識別情報および前記第２消耗品の前記識別情報を示す信号を前記情報処理装置に送信し、
前記情報処理装置は、
前記第１消耗品を使用する部門に関連付けて、前記第１消耗品の前記識別情報を記憶する情報処理記憶部と、
前記情報処理記憶部に前記識別情報を記憶させる制御部と
を有し、
前記制御部は、前記第１消耗品の前記識別情報および前記第２消耗品の前記識別情報に基づき、前記第２消耗品の前記識別情報に関連付けて、前記第２消耗品を使用する部門として、前記第１消耗品を使用する部門を前記情報処理記憶部に記憶させる、消耗品管理システム。
【請求項１８】
電子機器に対して着脱可能である複数の消耗品を管理する管理システムであって、
複数の消耗品と、
情報処理装置と
を備え、
前記複数の消耗品は、消耗品記憶部と、消耗品通信装置と、消耗品制御部とを含み、
前記消耗品記憶部は、前記消耗品を識別する識別情報と、前記消耗品を使用する部門とを記憶し、
前記消耗品通信装置は、対応する前記消耗品記憶部に記憶された前記識別情報と前記部門とを示す信号を送信し、
前記消耗品制御部は、対応する前記消耗品記憶部および消耗品通信装置を制御し、
前記情報処理装置は、前記消耗品通信装置の各々と通信し、
前記複数の消耗品は第１消耗品と第２消耗品とを含み、
前記第１消耗品は、保管場所に保管されており、前記第２消耗品は前記第１消耗品が保管された後に、前記保管場所に保管され、
前記第１消耗品と前記第２消耗品とが所定の範囲内に位置すると、前記第１消耗品の消耗品制御部または前記第２消耗品の消耗品制御部が、前記第１消耗品の前記消耗品記憶部に記憶された前記部門と、前記第２消耗品の前記消耗品記憶部に記憶された前記部門とが一致するか否かを判定し、
前記第１消耗品の前記消耗品記憶部に記憶された前記部門と、前記第２消耗品の前記消耗品記憶部に記憶された前記部門とが一致していない場合、前記第１消耗品の消耗品通信装置または前記第２消耗品の消耗品通信装置が、前記第２消耗品が前記第２消耗品の前記消耗品記憶部に記憶された前記部門に対応する前記保管場所とは異なる前記保管場所に保管されていることを示す信号を前記情報処理装置に送信し、
前記情報処理装置は、前記第２消耗品が前記第２消耗品の前記消耗品記憶部に記憶された前記部門に対応する前記保管場所とは異なる前記保管場所に保管されていることを示す信号を受信すると、前記第２消耗品が前記第２消耗品の前記消耗品記憶部に記憶された前記部門に対応する前記保管場所とは異なる前記保管場所に保管されていることをユーザーに通知する、消耗品管理システム。
【請求項１９】
前記情報処理装置は、
前記消耗品ごとに、前記識別情報に関連付けて使用期限を記憶する情報処理記憶部と、
前記情報処理記憶部に前記使用期限を記憶させる制御部と
を有し、
前記消耗品記憶部は、前記消耗品の前記使用期限をさらに記憶し、
前記所定の範囲内に複数の前記消耗品が位置しており、前記複数の消耗品のうちの１つが、前記所定の範囲外に移動した場合、前記所定の範囲外に移動した前記消耗品の前記消耗品通信装置は、前記識別情報と前記使用期限とを示す信号を前記情報処理装置に送信し、
前記制御部は、前記消耗品通信装置から受信した前記信号が示す前記使用期限よりも、使用期限切れに近い前記消耗品が前記所定の範囲内に位置する残りの前記消耗品の中にあるか否かを判定し、使用期限切れに近い前記消耗品がある場合、使用期限切れに近い前記消耗品があることを示す情報を前記電子機器を使用するユーザーに通知する、請求項１８に記載の消耗品管理システム。
【請求項２０】
前記電子機器は画像形成装置である、請求項１から請求項１９のいずれか１項に記載の消耗品管理システム。
【発明の詳細な説明】
【技術分野】
【０００１】
本発明は、消耗品管理システムに関する。
【背景技術】
【０００２】
電子機器には、本体から着脱可能に消耗品が用いられることがある。例えば、電子写真方式の画像形成装置には、消耗品としてトナーコンテナが用いられる。特許文献１に記載の消耗品管理システムでは、消耗品が無線モジュールを備えている。特許文献１に記載の消耗品管理システムでは、画像形成装置が消耗品の無線モジュールと通信し、消耗品と画像形成装置との関連付けをすると共に、各消耗品を管理するための在庫管理情報を作成している。
【先行技術文献】
【特許文献】
【０００３】
【特許文献１】特開２００２−１１１９４３号公報
【発明の概要】
【発明が解決しようとする課題】
【０００４】
しかしながら、特許文献１に記載の消耗品管理システムでは、消耗品と画像形成装置との関連付けを行うには、ユーザーによる入力作業が必要である。したがって、ユーザーの利便性が損なわれる。
【０００５】
本発明は上記課題に鑑みてなされたものであり、その目的はユーザーの利便性を向上させることができる消耗品管理システムを提供することにある。
【課題を解決するための手段】
【０００６】
本発明に係る消耗品管理システムは、消耗品を管理する管理システムである。前記消耗品は、電子機器に対して着脱可能である。前記消耗品管理システムは、消耗品と、情報処理装置と、複数の固定通信装置とを備える。前記情報処理装置は、前記消耗品と前記消耗品を使用する部門との対応関係を記憶する。前記複数の固定通信装置は、前記消耗品および前記情報処理装置と通信する。前記消耗品は、消耗品記憶部と、消耗品通信装置とを含む。前記消耗品記憶部は、識別情報を記憶する。前記識別情報は、前記消耗品を識別する。前記消耗品通信装置は、前記識別情報を示す識別信号を送信する。前記固定通信装置は、前記識別信号を受信すると、前記識別信号を前記情報処理装置に送信する。前記情報処理装置は、情報処理記憶部と、制御部とを有する。前記情報処理記憶部は、前記識別情報を記憶する。前記制御部は、前記情報処理記憶部に前記識別情報を記憶させる。前記情報処理記憶部は、保管場所ごとに、前記保管場所を使用する部門をさらに記憶する。前記保管場所には、前記消耗品が保管される。前記制御部は、前記複数の固定通信装置のうちの少なくとも１つの固定通信装置から受信した信号を解析して、前記消耗品が配置されている配置位置を特定する。前記制御部は、前記配置位置に基づいて、前記保管場所のうちから前記消耗品が保管された保管場所を判定する。前記制御部は、判定した前記保管場所に対応する前記部門に関連付けて、前記情報処理記憶部に前記識別情報を記憶させる。
【０００７】
本発明に係る消耗品管理システムは、消耗品を管理する管理システムである。前記消耗品は、電子機器に対して着脱可能である。前記消耗品管理システムは、消耗品と、情報処理装置と、ユーザー通信装置とを備える。前記情報処理装置は、前記消耗品と前記消耗品を使用する部門との対応関係を記憶する。前記ユーザー通信装置は、前記消耗品および前記情報処理装置と通信する。前記消耗品は、消耗品記憶部と、消耗品通信装置とを含む。前記消耗品記憶部は、前記消耗品を識別する識別情報を記憶する。前記消耗品通信装置は、前記識別情報を示す識別信号を送信する。前記ユーザー通信装置は、ユーザーによって携帯される。前記情報処理装置は、情報処理記憶部と、制御部とを有する。前記情報処理記憶部は、前記識別情報を記憶する。前記制御部は、前記情報処理記憶部に前記識別情報を記憶させる。前記ユーザー通信装置は、記憶部と、ユーザー通信部とを有する。前記ユーザー記憶部は、前記ユーザーに関するユーザー情報が記憶されている。前記ユーザー通信部は、前記識別信号を受信すると、前記識別信号と前記ユーザー情報を示すユーザー情報信号とを前記情報処理装置に送信する。前記制御部は、前記ユーザー情報に基づいて、前記ユーザーが属する部門を判定する。前記制御部は、判定した前記部門に関連付けて、前記情報処理記憶部に前記識別情報を記憶させる。
【０００８】
本発明に係る消耗品管理システムは、消耗品を管理する管理システムである。前記消耗品は、電子機器に対して着脱可能である。前記消耗品管理システムは、消耗品と、複数の固定通信装置と、ユーザー通信装置と、端末とを備える。前記情報処理装置は、前記消耗品と前記消耗品を使用する部門との対応関係を記憶する。前記複数の固定通信装置は、前記消耗品および前記情報処理装置と通信する。前記ユーザー通信装置は、前記消耗品および前記情報処理装置と通信する。前記端末は、前記情報処理装置と通信する。前記消耗品は、消耗品記憶部と、消耗品通信装置とを含む。前記消耗品記憶部は、前記消耗品を識別する識別情報を記憶する。前記消耗品通信装置は、前記識別情報を示す識別信号を送信する。前記情報処理装置は、情報処理記憶部と、制御部とを有する。前記情報処理記憶部は、前記識別情報を記憶する。前記制御部は、前記情報処理記憶部に前記識別情報を記憶させる。前記情報処理記憶部は、保管場所ごとに、前記保管場所を使用する部門をさらに記憶する。前記保管場所には、前記消耗品が保管される。前記固定通信装置は、前記識別信号を受信すると、前記識別信号を前記情報処理装置に送信する。前記ユーザー通信装置は、ユーザー記憶部と、ユーザー通信部とを有する。前記ユーザー記憶部は、ユーザーに関するユーザー情報が記憶されている。前記ユーザー通信部は、前記識別信号を受信すると、前記識別信号と前記ユーザー情報を示すユーザー情報信号とを前記情報処理装置に送信する。前記制御部は、前記ユーザー情報に基づいて、前記ユーザーが属する部門を判定する。前記制御部は、前記複数の固定通信装置のうちの少なくとも１つの固定通信装置から受信した信号を解析して、前記消耗品が配置されている配置位置を特定する。前記制御部は、前記配置位置に基づいて、前記保管場所のうちから前記消耗品が保管された保管場所を判定する。前記制御部は、判定した前記保管場所に対応する前記部門を特定する。前記制御部は、ユーザー対応部門と、保管場所対応部門とが一致するか否かを判定する。前記ユーザー対応部門は、前記ユーザー情報に対応する前記部門を示す。前記保管場所対応部門は、前記保管場所に対応する前記部門を示す。前記制御部は、前記ユーザー対応部門と、前記保管場所対応部門とが一致する場合、前記ユーザー対応部門と前記保管場所対応部門とが示す部門に関連付けて、前記情報処理記憶部に前記識別情報を記憶させる。前記制御部は、前記ユーザー対応部門と、前記保管場所対応部門とが一致しない場合、前記ユーザー対応部門と前記保管場所対応部門とが一致しない前記消耗品の前記識別情報を前記端末に通知する。
【０００９】
本発明に係る消耗品管理システムは、消耗品を管理する管理システムである。前記消耗品は、電子機器に対して着脱可能である。前記消耗品管理システムは、消耗品と、情報処理装置と、電子機器通信装置とを備える。前記情報処理装置は、前記消耗品と前記消耗品を使用する部門との対応関係を記憶する。前記電子機器通信装置は、前記電子機器に設けられる。前記電子機器通信装置は、前記消耗品および前記情報処理装置と通信する。前記消耗品は、消耗品記憶部と、消耗品通信装置とを含む。前記消耗品記憶部は、前記消耗品を識別する識別情報を記憶する。前記消耗品通信装置は、前記識別情報を示す識別信号を送信する。前記情報処理装置は、情報処理記憶部と、制御部とを有する。前記情報処理記憶部は、前記識別情報を記憶する。前記制御部は、前記情報処理記憶部に前記識別情報を記憶させる。前記電子機器通信装置は、電子機器記憶部と、電子機器通信部とを有する。前記電子機器記憶部は、前記電子機器に関する電子機器情報が記憶されている。前記電子機器通信部は、前記消耗品が所定の範囲内に近づくと前記消耗品から前記識別信号を受信する。前記電子機器通信部は、前記識別信号と前記電子機器情報を示す電子機器情報信号とを前記情報処理装置に送信する。前記制御部は、前記電子機器情報に基づいて、前記電子機器の部門を判定する。前記制御部は、判定した前記部門に関連付けて、前記情報処理記憶部に前記識別情報を記憶させる。
【００１０】
本発明に係る消耗品管理システムは、複数の消耗品を管理する管理システムである。前記複数の消耗品は、電子機器に対して着脱可能である。前記消耗品管理システムは、複数の消耗品と、情報処理装置とを備える。前記複数の消耗品の各々は、消耗品記憶部と、消耗品通信装置と、消耗品制御部とを含む。前記消耗品記憶部は、前記消耗品を識別する識別情報を記憶する。前記消耗品通信装置は、対応する前記消耗品記憶部に記憶された前記識別情報を示す信号を送信する。前記消耗品制御部は、対応する前記消耗品記憶部および消耗品通信装置を制御する。前記情報処理装置は、前記消耗品通信装置の各々と通信する。前記情報処理装置は、前記消耗品通信装置の各々と通信する。前記消耗品通信装置は所定の範囲内において互いに通信可能である。前記複数の消耗品は第１消耗品と第２消耗品とを含む。前記第１消耗品は、保管場所に保管されている。前記第２消耗品は前記第１消耗品が保管された後に、前記保管場所に保管されている。前記第１消耗品と前記第２消耗品とが前記所定の範囲内に位置すると、前記第１消耗品または前記第２消耗品の前記消耗品通信装置が、前記第１消耗品の前記識別情報および前記第２消耗品の前記識別情報を示す信号を前記情報処理装置に送信する。前記情報処理装置は、情報処理記憶部と、制御部とを有する。前記情報処理記憶部は、前記第１消耗品を使用する部門に関連付けて、前記第１消耗品の前記識別情報を記憶する。前記制御部は、前記情報処理記憶部に前記識別情報を記憶させる。前記制御部は、前記第１消耗品の前記識別情報および前記第２消耗品の前記識別情報に基づき、前記第２消耗品の前記識別情報に関連付けて、前記第２消耗品を使用する部門として、前記第１消耗品を使用する部門を前記情報処理記憶部に記憶させる。
【００１１】
本発明に係る消耗品管理システムは、消耗品を管理する管理システムである。前記複数の消耗品は、電子機器に対して着脱可能である。前記消耗品管理システムは、複数の消耗品と、情報処理装置とを備える。前記複数の消耗品は、消耗品記憶部と、消耗品通信装置と、消耗品制御部とを含む。前記消耗品記憶部は、前記消耗品を識別する識別情報と、前記消耗品を使用する部門とを記憶する。前記消耗品通信装置は、対応する前記消耗品記憶部に記憶された前記識別情報と前記部門とを示す信号を送信する。前記消耗品制御部は、対応する前記消耗品記憶部および消耗品通信装置を制御する。前記情報処理装置は、前記消耗品通信装置の各々と通信する。前記複数の消耗品は第１消耗品と第２消耗品とを含む。前記第１消耗品は、保管場所に保管されている。前記第２消耗品は前記第１消耗品が保管された後に、前記保管場所に保管されている。前記第１消耗品と前記第２消耗品とが所定の範囲内に位置すると、前記第１消耗品の消耗品制御部または前記第２消耗品の消耗品制御部が、前記第１消耗品の前記消耗品記憶部に記憶された前記部門と、前記第２消耗品の前記消耗品記憶部に記憶された前記部門とが一致するか否かを判定する。前記第１消耗品の前記消耗品記憶部に記憶された前記部門と、前記第２消耗品の前記消耗品記憶部に記憶された前記部門とが一致していない場合、前記第１消耗品の消耗品通信装置または前記第２消耗品の消耗品通信装置が、前記第２消耗品が前記第２消耗品の前記消耗品記憶部に記憶された前記部門に対応する前記保管場所とは異なる前記保管場所に保管されていることを示す信号を前記情報処理装置に送信する。前記情報処理装置は、前記第２消耗品が前記第２消耗品の前記消耗品記憶部に記憶された前記部門に対応する前記保管場所とは異なる前記保管場所に保管されていることを示す信号を受信すると、前記第２消耗品が前記第２消耗品の前記消耗品記憶部に記憶された前記部門に対応する前記保管場所とは異なる前記保管場所に保管されていることをユーザーに通知する。
【発明の効果】
【００１２】
本発明によれば、ユーザーの利便性を向上させることができる。
【図面の簡単な説明】
【００１３】
【図１】本発明の実施形態１に係る消耗品管理システムのブロック図である。
【図２】本発明の実施形態１に係る消耗品のブロック図である。
【図３】本発明の実施形態１に係る情報処理装置のブロック図である。
【図４】（ａ）は、情報処理記憶部が記憶する識別情報と部門とを示す図である。（ｂ）は、情報処理記憶部が記憶する保管場所と部門とを示す図である。
【図５】オフィスの居室を示す模式図である。
【図６】本発明の実施形態１に係る消耗品管理システムの消耗品を使用する部門の登録方法を示すフローチャートである。
【図７】本発明の実施形態２に係る消耗品管理システムのブロック図である。
【図８】本発明の実施形態２に係るユーザー通信装置のブロック図である。
【図９】情報処理記憶部が記憶するユーザーＩＤと部門とを示す図である。
【図１０】本発明の実施形態２に係る消耗品管理システムの消耗品を使用する部門の登録方法を示すフローチャートである。
【図１１】本発明の実施形態３に係る消耗品管理システムのブロック図である。
【図１２】本発明の実施形態３に係る消耗品管理システムの消耗品を使用する部門の登録方法を示すフローチャートである。
【図１３】オフィスの居室を示す模式図である。
【図１４】発明の実施形態４に係る消耗品管理システムのブロック図である。
【図１５】本発明の実施形態４に係る電子機器通信装置のブロック図である。
【図１６】情報処理記憶部が記憶する電子機器ＩＤと部門とを示す図である。
【図１７】本発明の実施形態４に係る消耗品管理システムの消耗品を使用する部門の登録方法を示すフローチャートである。
【図１８】情報処理記憶部が記憶する識別情報と部門と使用期限とを示す図である。
【図１９】本発明の実施形態５に係る消耗品管理システムのブロック図である。
【図２０】本発明の実施形態５に係る消耗品管理システムの消耗品を使用する部門の登録方法を示すフローチャートである。
【図２１】本発明の実施形態５の変形例に係る消耗品管理システムのブロック図である。
【発明を実施するための形態】
【００１４】
以下、本発明の実施形態について、図面を参照しながら説明する。なお、図中、同一または相当部分については同一の参照符号を付して説明を繰り返さない。
【００１５】
［実施形態１］
図１〜図４を参照して、本発明の実施形態１に係る消耗品管理システム１００について説明する。図１は、本発明の実施形態１に係る消耗品管理システム１００のブロック図である。図２は、本発明の実施形態１に係る消耗品２００のブロック図である。図３は、本発明の実施形態１に係る情報処理装置４００のブロック図である。図４（ａ）は、情報処理記憶部４１０が記憶する識別情報と部門とを示す図である。図４（ｂ）は、情報処理記憶部４１０が記憶する保管場所と部門とを示す図である。
【００１６】
図１に示すように、消耗品管理システム１００は、消耗品２００と、複数の固定通信装置３００と、情報処理装置４００とを備える。
【００１７】
消耗品管理システム１００は、消耗品２００を管理するシステムである。詳しくは、消耗品管理システム１００は、消耗品２００ごとに消耗品２００を使用する部門を管理する。したがって、部門ごとに消耗品２００の在庫の管理ができる。
【００１８】
消耗品２００は、電子機器に対して着脱可能である。電子機器は、例えば、画像形成装置である。消耗品２００は、例えば、トナーコンテナである。
【００１９】
図２に示すように、消耗品２００は、消耗品記憶部２１０と、消耗品通信装置２２０と、消耗品制御部２３０とを含む。
【００２０】
消耗品記憶部２１０は、例えば、不揮発性メモリーである。不揮発性メモリーは、例えば、フラッシュメモリーまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。消耗品記憶部２１０は、消耗品２００を識別する識別情報を記憶する。識別情報は、例えば、消耗品２００の製造元情報、型式番号および製造ロット番号を含む。
【００２１】
消耗品通信装置２２０は、固定通信装置３００と通信する。詳しくは、消耗品通信装置２２０は、固定通信装置３００からの近距離通信用の信号を受信する。また、消耗品通信装置２２０は、固定通信装置３００から近距離通信用の信号を受信すると、固定通信装置３００へ識別情報を示す識別信号を送信する。近距離通信用の信号、例えば、ビーコン信号である。
【００２２】
消耗品制御部２３０は、例えば、ＣＰＵ（Ｃｅｎｔｒａｌ  Ｐｒｏｃｅｓｓｉｎｇ  Ｕｎｉｔ）である。消耗品制御部２３０は、消耗品記憶部２１０と、消耗品通信装置２２０とを制御する。
【００２３】
複数の固定通信装置３００は、固定通信装置３００ａ〜固定通信装置３００ｎを含む。固定通信装置３００は、例えば、近距離通信用の信号を送信する。固定通信装置３００は、例えば、ビーコン信号送信機である。固定通信装置３００は、消耗品２００および情報処理装置４００と通信する。詳しくは、固定通信装置３００は、所定の範囲内に近距離通信用の信号を送信する。所定の範囲は、例えば、１ｍである。また、固定通信装置３００は、消耗品通信装置２２０から識別信号を受信すると、識別信号を情報処理装置４００に送信する。
【００２４】
情報処理装置４００は、ネットワークＮを介して、複数の固定通信装置３００と接続する。ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、および電話回線を含む。
【００２５】
図３に示すように、情報処理装置４００は、情報処理記憶部４１０と、通信部４２０と、制御部４３０とを有する。
【００２６】
情報処理記憶部４１０は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）である。図４（ａ）に示すように、情報処理記憶部４１０は、消耗品２００と消耗品２００を使用する部門との対応関係を記憶する。詳しくは、消耗品２００の識別情報を、部門に対応付けて記憶する。具体的には、識別情報「ＡＸＸＸ０００１」には、「部門Ａ」が対応付けて記憶されている。したがって、消耗品２００を使用する部門を管理することができる。また、図４（ｂ）に示すように、情報処理記憶部４１０は、保管場所ごとに、保管場所を使用する部門を記憶する。具体的には、「棚Ａ」には、「部門Ａ」が対応付けて記憶されている。保管場所は、消耗品２００が保管される場所を示す。
【００２７】
通信部４２０は、ネットワークＮを介して、固定通信装置３００と通信する。
【００２８】
制御部４３０は、例えば、消耗品制御部２３０は、例えば、ＣＰＵ（Ｃｅｎｔｒａｌ  Ｐｒｏｃｅｓｓｉｎｇ  Ｕｎｉｔ）である。制御部４３０は、複数の固定通信装置３００のうちの少なくとも１つの固定通信装置３００から受信した信号を解析して、消耗品２００が配置されている配置位置を特定する。例えば、固定通信装置３００から送信される信号には、消耗品２００の位置を示す情報、または、固定通信装置３００から消耗品２００までの距離を示す情報が含まれる。制御部４３０は、消耗品２００の位置を示す情報、または、固定通信装置３００から消耗品２００までの距離を示す情報に基づいて、消耗品２００が配置されている配置位置を特定する。そして、制御部４３０は、配置位置に基づいて、保管場所のうちから消耗品２００が保管された保管場所を判定する。制御部４３０は、判定した保管場所に対応する部門に関連付けて、情報処理記憶部４１０に識別情報を記憶させる。したがって、消耗品２００を保管場所に配置するだけで、自動的に消耗品２００を使用する部門を情報処理装置４００に登録することができる。その結果、ユーザーの利便性が向上する。
【００２９】
図５を参照して、本発明の実施形態１に係る消耗品管理システム１００について、さらに説明する。図５は、オフィスの居室６００を示す模式図である。
【００３０】
居室６００には、座席群６１０ａ〜座席群６１０ｄと、電子機器５００ａ〜電子機器５００ｄと、保管部屋６２０と、複数の固定通信装置３００とが設置されている。
【００３１】
座席群６１０ａ〜座席群６１０ｄの各々は、複数の座席６１０を含む。座席群６１０ａは、部門Ａに属するユーザーの座席６１０が配置される。座席群６１０ｂは、部門Ｂに属するユーザーの座席６１０が配置される。座席群６１０ｃは、部門Ｃに属するユーザーの座席６１０が配置される。座席群６１０ｄは、部門Ｄに属するユーザーの座席６１０が配置される。以下、部門Ａに属するユーザーを「部門Ａユーザー」と記載し、部門Ｂに属するユーザーを「部門Ｂユーザー」と記載し、部門Ｃに属するユーザーを「部門Ｃユーザー」と記載し、部門Ｄに属するユーザーを「部門Ｄユーザー」と記載することがある。
【００３２】
電子機器５００ａ〜電子機器５００ｄは、例えば、画像形成装置である。電子機器５００ａは、部門Ａユーザーが使用する電子機器である。電子機器５００ｂは、部門Ｂユーザーが使用する電子機器である。電子機器５００ｃは、部門Ｃユーザーが使用する電子機器である。電子機器５００ｄは、部門Ｄユーザーが使用する電子機器である。
【００３３】
保管部屋６２０には、複数の棚６３０が配置されている。複数の棚６３０は、棚６３０ａ（棚Ａ）と、棚６３０ｂ（棚Ｂ）と、棚６３０ｃ（棚Ｃ）と、棚６３０ｄ（棚Ｄ）とを含む。棚６３０には、消耗品２００が保管される。詳しくは、棚６３０ａには、部門Ａユーザーが使用する消耗品２００が保管される。棚６３０ｂには、部門Ｂユーザーが使用する消耗品２００が保管される。棚６３０ｃには、部門Ｃユーザーが使用する消耗品２００が保管される。棚６３０ｄには、部門Ｄユーザーが使用する消耗品２００が保管される。なお、棚６３０は、「保管場所」の一例である。
【００３４】
複数の固定通信装置３００は、固定通信装置３００ａと、固定通信装置３００ｂと、固定通信装置３００ｃと、固定通信装置３００ｄとを含む。固定通信装置３００ａは、棚６３０ａに取り付けられている。固定通信装置３００ｂは、棚６３０ｂに取り付けられている。固定通信装置３００ｃは、棚６３０ｃに取り付けられている。固定通信装置３００ｄは、棚６３０ｄに取り付けられている。固定通信装置３００は、所定の範囲内に近距離通信用の信号を送信する。
【００３５】
図１〜図６を参照して、本発明の実施形態１に係る消耗品管理システム１００の消耗品２００を使用する部門の登録について説明する。図６は、本発明の実施形態１に係る消耗品管理システム１００の消耗品２００を使用する部門の登録方法を示すフローチャートである。図６に示すステップＳ１０２〜ステップＳ１１２の処理が実行されることによって、消耗品２００を使用する部門が登録される。以下、消耗品２００が棚６３０ａ（棚Ａ）に保管された場合の、消耗品２００を使用する部門の登録について説明する。
【００３６】
ステップＳ１０２：消耗品通信装置２２０が、固定通信装置３００からの近距離通信用の信号を受信すると、消耗品通信装置２２０が、識別信号を固定通信装置３００に送信する。詳しくは、消耗品２００が棚６３０ａに保管されることによって、消耗品通信装置２２０が、固定通信装置３００ａからの近距離通信用の信号を受信する。消耗品通信装置２２０が近距離通信用の信号を受信すると、消耗品通信装置２２０は、識別信号を固定通信装置３００に送信する。処理は、ステップＳ１０４に進む。
【００３７】
ステップＳ１０４：固定通信装置３００ａが、識別信号を受信する。詳しくは、固定通信装置３００ａが、棚６３０ａに保管された消耗品２００から、識別信号を受信する。処理は、ステップＳ１０６に進む。
【００３８】
ステップＳ１０６：固定通信装置３００ａが、識別信号を情報処理装置４００に送信する。処理は、ステップＳ１０８に進む。
【００３９】
ステップＳ１０８：制御部４３０は、複数の固定通信装置３００のうち少なくとも１つの固定通信装置３００から受信した信号を解析して、消耗品２００が配置されている配置位置を特定する。ここでは、制御部４３０は、固定通信装置３００ａから受信した信号を解析して、消耗品２００が配置されている配置位置を特定する。処理は、ステップＳ１１０に進む。
【００４０】
ステップＳ１１０：制御部４３０は、配置位置に基づいて、保管場所を判定する。ここでは、制御部４３０は、保管場所を棚６３０ａと判定する。処理は、ステップＳ１１２に進む。
【００４１】
ステップＳ１１２：制御部４３０は、判定した保管場所に対応する部門に関連付けて、情報処理記憶部４１０に識別情報を記憶させる。ここでは、棚６３０ａ（棚Ａ）に対応する部門Ａに関連付けて、情報処理記憶部４１０に識別情報を記憶させる。したがって、消耗品２００を使用する部門を情報処理装置４００に登録することができる。処理は、終了する。
【００４２】
以上、図１〜図６を参照して説明したように、消耗品管理システム１００において、制御部４３０は、保管場所のうちから消耗品２００が保管された保管場所を判定する。そして、制御部４３０は、判定した保管場所に対応する部門に関連付けて、情報処理記憶部４１０に識別情報を記憶させる。したがって、消耗品２００を保管場所に配置するだけで、自動的に消耗品２００を使用する部門を情報処理装置４００に登録することができる。その結果、ユーザーの利便性が向上する。
【００４３】
［実施形態２］
図２〜図５および図７〜図９を参照して、本発明の実施形態２に係る消耗品管理システム１００について説明する。図７は、本発明の実施形態２に係る消耗品管理システム１００のブロック図である。図８は、本発明の実施形態２に係るユーザー通信装置７００のブロック図である。図９は、情報処理記憶部４１０が記憶するユーザーＩＤと部門とを示す図である。情報処理装置４００と、消耗品２００とは、実施形態１と同様な構成を有するため、重複部分については説明を省略する。
【００４４】
図７に示すように、消耗品管理システム１００は、消耗品２００と、ユーザー通信装置７００と、情報処理装置４００とを備える。実施形態１では、保管場所に基づいて消耗品２００を使用する部門を情報処理装置４００に登録していたが、実施形態２では、ユーザー通信装置７００に記憶されているユーザー情報に基づいて、消耗品２００を使用する部門を情報処理装置４００に登録する。
【００４５】
ユーザー通信装置７００は、例えば、ＩＤカードである。ユーザー通信装置７００は、ユーザーによって携帯される。ユーザー通信装置７００は、消耗品２００および情報処理装置４００と通信する。詳しくは、ユーザー通信装置７００は、消耗品２００と近距離無線通信によって通信する。近距離無線通信は、例えば、ブルートゥース（登録商標）である。また、ユーザー通信装置７００は、ネットワークＮを介して情報処理装置４００と通信する。ネットワークＮは、例えば、無線ＬＡＮ（Ｌｏｃａｌ  Ａｒｅａ  Ｎｅｔｗｏｒｋ）を含む。
【００４６】
図８に示すように、ユーザー通信装置７００は、ユーザー記憶部７１０と、ユーザー通信部７２０とを有する。
【００４７】
ユーザー記憶部７１０は、例えば、不揮発性メモリーである。不揮発性メモリーは、例えば、フラッシュメモリーまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。ユーザー記憶部７１０は、ユーザーに関するユーザー情報が記憶されている。ユーザー情報は、例えば、ユーザー通信装置７００を携帯するユーザーを識別する情報を含む。ユーザーを識別する情報は、例えば、ユーザーＩＤ番号である。なお、ユーザー情報は、ユーザーが属する部門を示す情報を含んでもよい。
【００４８】
ユーザー通信部７２０は、消耗品２００から識別信号を受信すると、識別信号とユーザー情報信号とを情報処理装置４００に送信する。ユーザー情報信号は、ユーザー情報を示す信号である。
【００４９】
図９に示すように、情報処理記憶部４１０は、ユーザーを識別する情報ごとに、ユーザーの属する部門を記憶する。詳しくは、ユーザーＩＤを、部門に対応付けて記憶する。具体的には、ユーザーＩＤ「Ｂ０００１」には、「部門Ａ」が対応付けて記憶されている。
【００５０】
情報処理装置４００の制御部４３０は、ユーザー情報に基づいて、ユーザーが属する部門を判定する。例えば、制御部４３０は、ユーザー情報が示すユーザーＩＤが「Ｂ０００１」である場合、ユーザーが属する部門を「部門Ａ」と判定する。あるいは、ユーザー情報にユーザーが属する部門が含まれている場合、ユーザー情報に示されている部門を、ユーザーが属する部門として判定する。そして、制御部４３０は、判定した部門に関連付けて、情報処理記憶部４１０に識別情報を記憶させる。したがって、消耗品２００を取り扱うユーザーが携帯するＩＤカードのユーザー情報に基づいて、自動的に消耗品２００を使用する部門を情報処理装置４００に登録することができる。その結果、ユーザーの利便性が向上する。
【００５１】
図２〜図５および図７〜図１０を参照して、本発明の実施形態２に係る消耗品管理システム１００の消耗品２００を使用する部門の登録について説明する。図１０は、本発明の実施形態２に係る消耗品管理システム１００の消耗品２００を使用する部門の登録方法を示すフローチャートである。図１０に示すステップＳ２０２〜ステップＳ２１０の処理が実行されることによって、消耗品２００を使用する部門が登録される。
【００５２】
ステップＳ２０２：消耗品通信装置２２０が、識別信号を送信する。詳しくは、ユーザー通信装置７００を携帯したユーザーが消耗品２００を持った際、近距離無線通信によって、消耗品通信装置２２０が、識別信号をユーザー通信装置７００に送信する。処理は、ステップＳ２０４に進む。
【００５３】
ステップＳ２０４：ユーザー通信部７２０が、消耗品２００から識別信号を受信する。処理は、ステップＳ２０６に進む。
【００５４】
ステップＳ２０６：ユーザー通信部７２０が、識別信号とユーザー情報信号とを情報処理装置４００に送信する。処理は、ステップＳ２０８に進む。
【００５５】
ステップＳ２０８：制御部４３０は、ユーザー情報に基づいて、部門を判定する。処理は、ステップＳ２１０に進む。
【００５６】
ステップＳ２１０：制御部４３０は、判定した部門に関連付けて、情報処理記憶部４１０に識別情報を記憶させる。したがって、消耗品２００を使用する部門を情報処理装置４００に登録することができる。処理は、終了する。
【００５７】
以上、図２〜図５および図７〜図１０を参照して説明したように、消耗品管理システム１００において、制御部４３０は、ユーザー情報に基づいて、ユーザーが属する部門を判定する。そして、制御部４３０は、判定した部門に関連付けて、情報処理記憶部４１０に識別情報を記憶させる。したがって、消耗品２００を取り扱うユーザーが携帯するＩＤカードのユーザー情報に基づいて、自動的に消耗品２００を使用する部門を情報処理装置４００に登録することができる。その結果、ユーザーの利便性が向上する。
【００５８】
［実施形態３］
図２〜図４、図８、図９および図１１を参照して、本発明の実施形態３に係る消耗品管理システム１００について説明する。図１１は、本発明の実施形態３に係る消耗品管理システム１００のブロック図である。情報処理装置４００と、消耗品２００とは、実施形態１、２と同様な構成を有するため、重複部分については説明を省略する。また、固定通信装置３００は、実施形態１と同様な構成を有するため、重複部分については説明を省略する。また、ユーザー通信装置７００は、実施形態２と同様な構成を有するため、重複部分については説明を省略する。
【００５９】
図１１に示すように、消耗品管理システム１００は、消耗品２００と、複数の固定通信装置３００と、情報処理装置４００と、ユーザー通信装置７００と、端末８００とを備える。
【００６０】
端末８００は、例えば、パーソナルコンピューターである。端末８００は、例えば、ユーザーまたは管理者によって使用される。端末８００は、ネットワークＮを介して、情報処理装置４００と通信する。
【００６１】
本実施形態では、実施形態１と同様に、制御部４３０は、保管場所に対応する部門を特定する。また、本実施形態では、実施形態２と同様に、制御部４３０は、ユーザー通信装置７００に記憶されているユーザー情報に基づいて、ユーザーが属する部門を特定する。制御部４３０は、ユーザー対応部門と、保管場所対応部門とが一致するか否かを判定する。ユーザー対応部門は、制御部４３０によって特定されたユーザー情報に対応する部門である。保管場所対応部門は、制御部４３０によって特定された保管場所に対応する部門を示す。
【００６２】
ユーザー対応部門と、保管場所対応部門とが一致する場合、制御部４３０は、ユーザー対応部門と保管場所対応部門とが示す部門に関連付けて、情報処理記憶部４１０に識別情報を記憶させる。例えば、部門Ａの保管場所である棚６３０ａ（棚Ａ、図５参照）に、部門Ａユーザーが消耗品２００を保管した場合、消耗品２００を使用する部門として部門Ａが情報処理装置４００に登録される。
【００６３】
一方、ユーザー対応部門と、保管場所対応部門とが一致しない場合、制御部４３０は、ユーザー対応部門と保管場所対応部門とが一致しない消耗品２００の識別情報を端末８００に通知する。例えば、部門Ａの保管場所である棚６３０ａに、部門Ｂユーザーが消耗品２００を保管した場合、管理者の端末８００に識別情報が通知される。したがって、管理者は、誤った保管場所に消耗品２００が保管されたことを知ることができる。
【００６４】
図２〜図４、図８、図９、図１１および図１２を参照して、本発明の実施形態３に係る消耗品管理システム１００の消耗品２００を使用する部門の登録について説明する。図１２は、本発明の実施形態３に係る消耗品管理システム１００の消耗品２００を使用する部門の登録方法を示すフローチャートである。図１２に示すステップＳ３０２〜ステップＳ３０８の処理が実行されることによって、消耗品２００を使用する部門が登録される。
【００６５】
ステップＳ３０２：制御部４３０が、ユーザー対応部門と、保管場所対応部門とを特定する。詳しくは、実施形態２と同様に、図１０に示すステップＳ２０２〜ステップＳ２０８の処理が実行されることによって、ユーザー対応部門が特定される。また、実施形態１と同様に、図６に示すステップＳ１０２〜ステップＳ１１２の処理が実行されることによって、保管場所対応部門が特定される。処理は、ステップＳ３０４に進む。
【００６６】
ステップＳ３０４：制御部４３０は、ユーザー対応部門と保管場所対応部門とが一致するか否かを判定する。制御部４３０が、ユーザー対応部門と保管場所対応部門とが一致しないと判定した場合（ステップＳ３０４：Ｎｏ）、処理は、ステップＳ３０８に進む。制御部４３０が、ユーザー対応部門と保管場所対応部門とが一致すると判定した場合（ステップＳ３０４：Ｙｅｓ）、処理は、ステップＳ３０６に進む。
【００６７】
ステップＳ３０６：制御部４３０は、ユーザー対応部門と保管場所対応部門とが示す部門に関連付けて、情報処理記憶部４１０に識別情報を記憶させる。処理は、終了する。
【００６８】
ステップＳ３０８：制御部４３０は、ユーザー対応部門と保管場所対応部門とが一致しない消耗品２００の識別情報を端末８００に通知する。処理は、終了する。
【００６９】
以上、図２〜図４、図８、図９、図１１および図１２を参照して説明したように、制御部４３０は、ユーザー対応部門と保管場所対応部門とが一致するか否かを判定する。そして、制御部４３０が、ユーザー対応部門と保管場所対応部門とが一致すると判定した場合、制御部４３０は、ユーザー対応部門と保管場所対応部門とが示す部門に関連付けて、情報処理記憶部４１０に識別情報を記憶させる。したがって、消耗品２００が正しい保管場所に配置された場合、消耗品２００を保管場所に配置するだけで、自動的に消耗品２００を使用する部門を情報処理装置４００に登録することができる。その結果、ユーザーの利便性が向上する。一方、制御部４３０が、ユーザー対応部門と保管場所対応部門とが一致しないと判定した場合、制御部４３０は、ユーザー対応部門と保管場所対応部門とが一致しない消耗品２００の識別情報を端末８００に通知する。したがって、消耗品２００が誤った保管場所に配置された場合、管理者は、誤った保管場所に消耗品２００が保管されていることを知ることができる。
【００７０】
図２〜図４、図８、図９、図１１および図１３を参照して、本発明の実施形態３に係る消耗品管理システム１００について、さらに説明する。図１３は、オフィスの居室６００を示す模式図である。固定通信装置３００の数が異なる点を除いて、図５に示した居室６００と同様な構成を有するため、重複部分については説明を省略する。
【００７１】
情報処理装置４００は、固定通信装置３００から受信した信号に基づいて、ユーザー通信装置７００の位置と、消耗品２００の位置とを特定できることが好ましい。
【００７２】
図１３に示すように、居室６００には、座席群６１０ａ〜座席群６１０ｄと、電子機器５００ａ〜電子機器５００ｄと、保管部屋６２０と、複数の固定通信装置３００とが設置されている。複数の固定通信装置３００は、固定通信装置３００ａ〜固定通信装置３００ｈを含む。固定通信装置３００ａ〜固定通信装置３００ｄのそれぞれは、棚６３０ａ〜棚６３０ｄに取り付けられている。固定通信装置３００ｅ〜固定通信装置３００ｈのそれぞれは、電子機器５００ａ〜電子機器５００ｄに取り付けられている。固定通信装置３００ａ〜固定通信装置３００ｈ以外の固定通信装置３００は、例えば、居室６００の壁、床または天井に取り付けられている。
【００７３】
固定通信装置３００は、消耗品２００に加えて、ユーザー通信装置７００とさらに通信する。制御部４３０は、複数の固定通信装置３００のうちの少なくとも１つの固定通信装置３００から受信した信号を解析して、消耗品２００の位置と、ユーザー通信装置７００の位置とを特定する。
【００７４】
制御部４３０は、特定された消耗品２００の位置と、特定されたユーザー通信装置７００の位置とに基づいて、消耗品２００がユーザーと共に移動しているか否かを判定する。すなわち、制御部４３０は、ユーザーが消耗品２００を持って移動しているか否かを判定する。消耗品２００がユーザーと共に移動していると判定した場合、消耗品２００の識別情報に関連付けられた部門と、ユーザーが属する部門とが一致するか否かを判定する。消耗品２００の識別情報に関連付けられた部門と、ユーザーが属する部門とが一致しないと制御部４３０が判定した場合、制御部４３０は、消耗品２００の記識別情報を端末８００に通知する。例えば、部門Ｂユーザーが、部門Ａの保管場所である棚６３０ａから消耗品２００を持ち出した場合、制御部４３０は、持ち出された消耗品２００の識別情報を管理者の端末８００に通知する。したがって、管理者は、消耗品２００が別の部門の保管場所から誤って消耗品２００が持ち出されたことを確認することができる。
【００７５】
なお、消耗品２００の識別情報に関連付けられた部門と、ユーザーが属する部門とが一致しないと制御部４３０が判定した場合、制御部４３０は、消耗品２００の記識別情報と共にユーザー情報（例えば、ユーザーＩＤ）を端末８００に通知してもよい。したがって、管理者は、別の部門の保管場所から誤って消耗品２００を持ち出したユーザーを確認することができる。
【００７６】
また、制御部４３０は、特定された消耗品２００の位置と、特定されたユーザー通信装置７００の位置とに基づいて、消耗品２００がユーザーと共に移動していないと判定した場合、ユーザーと共に移動していない消耗品２００の識別情報を端末８００に通知する。例えば、ユーザー通信装置７００をユーザーが持ち歩かずに消耗品２００を保管場所から持ち出した場合、あるいは、部門外の第三者が消耗品２００を持ち出した場合、ユーザーと共に移動していない消耗品２００の識別情報を端末８００に通知する。なお、制御部４３０は、端末８００に通知をする場合、識別情報と共に、搬送経路を端末８００に通知してもよい。搬送経路は、消耗品２００の移動の軌跡を示す。
【００７７】
［実施形態４］
図２、図３および図１４〜図１６を参照して、本発明の実施形態４に係る消耗品管理システム１００について説明する。図１４は、本発明の実施形態４に係る消耗品管理システム１００のブロック図である。図１５は、本発明の実施形態４に係る電子機器通信装置５１０のブロック図である。図１６は、情報処理記憶部４１０が記憶する電子機器ＩＤと部門とを示す図である。情報処理装置４００と、消耗品２００とは、実施形態１〜３と同様な構成を有するため、重複部分については説明を省略する。また、端末８００は、実施形態３と同様な構成を有するため、重複部分については説明を省略する。
【００７８】
図１４に示すように、消耗品管理システム１００は、消耗品２００と、電子機器５００と、情報処理装置４００と、端末８００とを備える。
【００７９】
電子機器５００は、例えば、画像形成装置である。電子機器通信装置５１０は、電子機器５００に設けられる。電子機器通信装置５１０は、消耗品２００および情報処理装置４００と通信する。
【００８０】
図１５に示すように、電子機器通信装置５１０は、電子機器記憶部５１２と、電子機器通信部５１４と、電子機器制御部５１６とを有する。
【００８１】
電子機器記憶部５１２、例えば、不揮発性メモリーである。不揮発性メモリーは、例えば、フラッシュメモリーまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。電子機器記憶部５１２は、電子機器５００に関する電子機器情報が記憶されている。電子機器情報は、例えば、電子機器５００を識別する情報を含む。電子機器５００を識別する情報は、例えば、電子機器ＩＤ番号である。なお、電子機器情報は、電子機器５００が使用される部門を示す情報を含んでもよい。
【００８２】
電子機器通信部５１４は、消耗品２００が所定の範囲内に近づくと消耗品２００から識別信号を受信する。電子機器通信部５１４は、識別信号と電子機器情報信号とを情報処理装置４００に送信する。電子機器情報信号は、電子機器情報を示す信号である。
【００８３】
電子機器制御部５１６は、例えば、ＣＰＵ（Ｃｅｎｔｒａｌ  Ｐｒｏｃｅｓｓｉｎｇ  Ｕｎｉｔ）である。電子機器制御部５１６は、電子機器記憶部５１２と、電子機器通信部５１４とを制御する。
【００８４】
図１６に示すように、情報処理記憶部４１０は、電子機器５００を識別する情報ごとに、電子機器５００が使用される部門を記憶する。詳しくは、電子機器ＩＤを、部門に対応付けて記憶する。具体的には、電子機器ＩＤ「Ｃ０００１」には、「部門Ａ」が対応付けて記憶されている。
【００８５】
情報処理装置４００の制御部４３０は、電子機器情報に基づいて、ユーザーが属する部門を判定する。例えば、制御部４３０は、電子機器情報が示す電子機器ＩＤが「Ｃ０００１」である場合、電子機器５００が使用される部門を「部門Ａ」と判定する。あるいは、電子機器情報に、電子機器５００が使用される部門が含まれている場合、電子機器情報に示されている部門を、電子機器５００が使用される部門として判定する。そして、制御部４３０は、判定した部門に関連付けて、情報処理記憶部４１０に識別情報を記憶させる。したがって、消耗品２００を使用する（交換する）ために、ユーザーが消耗品２００を電子機器５００の近くに持ってきた場合、電子機器情報に基づいて、自動的に消耗品２００を使用する部門を情報処理装置４００に登録することができる。その結果、ユーザーの利便性が向上する。
【００８６】
図２、図３および図１４〜図１７を参照して、を参照して、本発明の実施形態４に係る消耗品管理システム１００の消耗品２００を使用する部門の登録について説明する。図１７は、本発明の実施形態４に係る消耗品管理システム１００の消耗品２００を使用する部門の登録方法を示すフローチャートである。図１７に示すステップＳ４０２〜ステップＳ４１０の処理が実行されることによって、消耗品２００を使用する部門が登録される。
【００８７】
ステップＳ４０２：消耗品通信装置２２０が、識別信号を送信する。詳しくは、消耗品２００を使用する（交換する）ために、ユーザーが消耗品２００を電子機器５００の近くに持ってきた場合、近距離無線通信によって、消耗品通信装置２２０が、識別信号を電子機器通信部５１４に送信する。処理は、ステップＳ４０４に進む。
【００８８】
ステップＳ４０４：電子機器通信部５１４が、消耗品２００から識別信号を受信する。処理は、ステップＳ４０６に進む。
【００８９】
ステップＳ４０６：電子機器通信部５１４が、識別信号とユーザー情報信号とを情報処理装置４００に送信する。処理は、ステップＳ４０８に進む。
【００９０】
ステップＳ４０８：制御部４３０は、電子機器情報に基づいて、部門を判定する。処理は、ステップＳ４１０に進む。
【００９１】
ステップＳ４１０：制御部４３０は、判定した部門に関連付けて、情報処理記憶部４１０に識別情報を記憶させる。したがって、消耗品２００を使用する部門を情報処理装置４００に登録することができる。処理は、終了する。
【００９２】
以上、図２、図３および図１４〜図１７を参照して説明したように、制御部４３０は、電子機器情報に基づいて、電子機器５００の部門を判定する。制御部４３０は、判定した部門に関連付けて、情報処理記憶部４１０に識別情報を記憶させる。したがって、ユーザーが消耗品２００を電子機器５００の近くに持ってくるだけで、自動的に消耗品２００を使用する部門を情報処理装置４００に登録することができる。その結果、ユーザーの利便性が向上する。
【００９３】
本実施形態では、消耗品２００を使用する部門と、電子機器５００の部門とが一致していない場合、制御部４３０は、端末８００に部門が一致していないことを通知する。詳しくは、制御部４３０は、電子機器情報に基づいて、電子機器５００の部門を判定する。そして、制御部４３０は、電子機器通信部５１４から受信した識別信号が示す識別情報が、部門と関連付けられて情報処理記憶部４１０に記憶されているかを判定する。すなわち、消耗品２００が既に情報処理装置４００に登録さているかを判定する。識別情報が情報処理記憶部４１０に既に記憶されている場合、制御部４３０は、電子機器通信部５１４から受信した電子機器情報に対応する部門と、情報処理記憶部４１０に記憶している識別情報に対応する部門とが一致するか否かを判定する。電子機器情報に対応する部門と、情報処理記憶部４１０に記憶している識別情報に対応する部門とが一致していない場合、制御部４３０は、端末８００に部門が一致していないことを通知する。例えば、部門Ａが使用する電子機器５００に、部門Ｂの消耗品２００として登録されている消耗品２００が近づくと、管理者の端末８００に部門が一致していないことが通知される。したがって、管理者は、消耗品２００を使用する部門とは別の部門の電子機器５００に消耗品２００が交換されることを知ることができる。
【００９４】
情報処理記憶部４１０は、消耗品２００ごとに、識別情報に関連付けて部門と使用期限とをさらに記憶することが好ましい。図１８を参照して、情報処理記憶部４１０が、消耗品２００ごとに、識別情報に関連付けて部門と使用期限とをさらに記憶することが好ましいことについて説明する。図１８は、情報処理記憶部４１０が記憶する識別情報と部門と使用期限とを示す図である。
【００９５】
図１８に示すように、情報処理記憶部４１０は、消耗品２００ごとに、識別情報に関連付けて部門と使用期限とをさらに記憶する。例えば、識別情報「ＡＸＸＸ０００１」には、部門として「部門Ａ」、使用期限として「２０１８年７月」が対応付けて記憶されている。
【００９６】
本実施形態では、ユーザーが電子機器５００に消耗品２００を装着するために電子機器５００に近づいた際、装着しようとする消耗品２００よりも使用期限切れに近い消耗品２００を、電子機器５００を使用する部門が保有する場合、使用期限切れに近い消耗品２００があることを示す情報を、電子機器５００を使用するユーザーに通知する。
【００９７】
詳しくは、まず、電子機器通信装置５１０は、消耗品２００が所定の範囲内に近づくと消耗品２００から識別信号を受信し、識別信号を情報処理装置４００に送信する。例えば、部門Ｂの電子機器５００に、識別情報「ＡＸＸＸ０５００」の消耗品２００を装着するために、ユーザーが電子機器５００に近づくと、電子機器通信装置５１０は、消耗品２００から識別信号を受信し、識別信号を情報処理装置４００に送信する。
【００９８】
次に、制御部４３０は、電子機器通信装置５１０から受信した識別信号が示す識別情報に関連付けられた使用期限よりも、使用期限切れに近い消耗品２００があるか否かを判定し、使用期限切れに近い消耗品２００がある場合、使用期限切れに近い消耗品２００があることを示す情報を電子機器５００を使用するユーザーに通知する。例えば、「部門Ｂ」に対応付けられている消耗品２００の使用期限の中から、ユーザーが装着しようとしている識別情報「ＡＸＸＸ０５００」の消耗品２００の使用期限「２０１８年１１月」よりも、使用期限切れに近い使用期限である「２０１８年９月」を示す、識別情報「ＡＸＸＸ０００２」の消耗品２００があることを示す情報を電子機器５００を使用するユーザーに通知する。したがって、ユーザーは、使用期限切れに近い消耗品２００があることを知ることができ、使用期限切れに近い消耗品２００を先に使用することができる。
【００９９】
［実施形態５］
図２〜図５および図１９を参照して、本発明の実施形態５に係る消耗品管理システム１００について説明する。図１９は、本発明の実施形態５に係る消耗品管理システム１００のブロック図である。情報処理装置４００と、固定通信装置３００と、消耗品２００とは、実施形態１と同様な構成を有するため、重複部分については説明を省略する。
【０１００】
図１９に示すように、消耗品管理システム１００は、複数の消耗品２００と、固定通信装置３００と、情報処理装置４００とを備える。複数の消耗品２００は、第１消耗品２００ａと、第２消耗品２００ｂとを含む。本実施形態では、所定の範囲に保管された消耗品２００が互いに通信することによって、後から保管された消耗品２００を使用する部門が情報処理装置４００に登録される。
【０１０１】
図２に示すように、複数の消耗品２００の各々は、消耗品記憶部２１０と、消耗品通信装置２２０と、消耗品制御部２３０とを含む。
【０１０２】
消耗品記憶部２１０は、消耗品２００の各々に設けられる。消耗品記憶部２１０は、消耗品２００を識別する識別情報を記憶する。
【０１０３】
消耗品通信装置２２０は、消耗品２００の各々に設けられる。消耗品通信装置２２０は、対応する消耗品記憶部２１０に記憶された識別情報を示す信号を送信する。
【０１０４】
消耗品制御部２３０は、消耗品２００の各々に設けられる。消耗品制御部２３０は、対応する消耗品記憶部２１０および消耗品通信装置２２０を制御する。
【０１０５】
図３に示すように、情報処理装置４００は、情報処理記憶部４１０と、通信部４２０と、制御部４３０とを有する。情報処理記憶部４１０は、第１消耗品２００ａを使用する部門に関連付けて、第１消耗品２００ａの識別情報を記憶する。通信部４２０は、ネットワークＮを介して、固定通信装置３００と通信する。制御部４３０は、情報処理記憶部４１０に識別情報を記憶させる。
【０１０６】
図１９に示すように、情報処理装置４００は、固定通信装置３００と、ネットワークＮとを介して消耗品通信装置２２０の各々と通信する。なお、情報処理装置４００は、固定通信装置３００を介することなく、消耗品通信装置２２０の各々と通信してもよい。
【０１０７】
第１消耗品２００ａは、保管場所に保管されている。第１消耗品２００ａを使用する部門は、情報処理装置４００に既に登録されている。第１消耗品２００ａの部門は、例えば、実施形態１〜４のいずれかの方法で情報処理装置４００に登録されている。第２消耗品２００ｂは第１消耗品２００ａが保管された後に、保管場所に保管されている。
【０１０８】
本実施形態では、第２消耗品２００ｂの部門を、近くに配置されている第１消耗品２００ａの部門に基づいて情報処理装置４００に登録する。詳しくは、第１消耗品２００ａと第２消耗品２００ｂとが所定の範囲内に位置すると、第１消耗品２００ａまたは第２消耗品２００ｂの消耗品通信装置２２０が、第１消耗品２００ａの識別情報および第２消耗品２００ｂの識別情報を示す信号を情報処理装置４００に送信する。例えば、第１消耗品２００ａと第２消耗品２００ｂとが同じ棚６３０に置かれると、第１消耗品２００ａの識別情報および第２消耗品２００ｂの識別情報を示す信号を情報処理装置４００に送信する。
【０１０９】
制御部４３０は、第１消耗品２００ａの識別情報および第２消耗品２００ｂの識別情報に基づき、第２消耗品２００ｂの識別情報に関連付けて、第２消耗品２００ｂを使用する部門として、第１消耗品２００ａを使用する部門を情報処理記憶部４１０に記憶させる。例えば、第１消耗品２００ａを使用する部門として「部門Ａ」が登録されている場合、第２消耗品２００ｂを使用する部門を「部門Ａ」に登録する。したがって、第２消耗品２００ｂを第１消耗品２００ａ近くに保管するだけで、自動的に第２消耗品２００ｂを使用する部門を情報処理装置４００に登録することができる。
【０１１０】
図２〜図５、図１９および図２０を参照して、本発明の実施形態５に係る消耗品管理システム１００の消耗品２００を使用する部門の登録について説明する。図２０は、本発明の実施形態５に係る消耗品管理システム１００の消耗品２００を使用する部門の登録方法を示すフローチャートである。図２０に示すステップＳ５０２〜ステップＳ５０６の処理が実行されることによって、消耗品２００を使用する部門が登録される。以下、消耗品２００が棚Ａに保管された場合の、消耗品２００を使用する部門の登録について説明する。
【０１１１】
ステップＳ５０２：第１消耗品２００ａの消耗品制御部２３０または第２消耗品２００ｂの消耗品制御部２３０が、第１消耗品２００ａと、第２消耗品２００ｂとが所定の範囲内に位置するか否かを判定する。第１消耗品２００ａの消耗品制御部２３０または第２消耗品２００ｂの消耗品制御部２３０が、第１消耗品２００ａと、第２消耗品２００ｂとが所定の範囲内に位置しないと判定した場合（ステップＳ５０２：Ｎｏ）、処理は、ステップＳ５０２に戻る。第１消耗品２００ａの消耗品制御部２３０または第２消耗品２００ｂの消耗品制御部２３０が、第１消耗品２００ａと、第２消耗品２００ｂとが所定の範囲内に位置すると判定した場合、処理は、ステップＳ５０４に進む。
【０１１２】
ステップＳ５０４：第１消耗品２００ａまたは第２消耗品２００ｂの消耗品通信装置２２０が、第１消耗品２００ａの識別情報および第２消耗品２００ｂの識別情報を示す信号を情報処理装置４００に送信する。処理は、ステップＳ５０６に進む。
【０１１３】
ステップＳ５０６：制御部４３０は、第１消耗品２００ａの識別情報および第２消耗品２００ｂの識別情報に基づき、第２消耗品２００ｂの識別情報に関連付けて、第２消耗品２００ｂを使用する部門として、第１消耗品２００ａを使用する部門を情報処理記憶部４１０に記憶させる。処理は、終了する。
【０１１４】
なお、消耗品記憶部２１０は、識別情報に加えて、さらに部門を記憶することが好ましい。識別情報は、消耗品２００を識別する情報を示す。部門は、消耗品２００を使用する部門を示す。消耗品通信装置２２０は、対応する消耗品記憶部２１０に記憶された識別情報と部門とを示す信号を送信する。
【０１１５】
第１消耗品２００ａと第２消耗品２００ｂとが所定の範囲内に位置すると、第１消耗品２００ａの消耗品制御部２３０または第２消耗品２００ｂの消耗品制御部２３０が、第１消耗品２００ａの消耗品記憶部２１０に記憶された部門と、第２消耗品２００ｂの消耗品記憶部２１０に記憶された部門とが一致するか否かを判定する。
【０１１６】
第１消耗品２００ａの消耗品記憶部２１０に記憶された部門と、第２消耗品２００ｂの消耗品記憶部２１０に記憶された部門とが一致していない場合、第１消耗品２００ａの消耗品通信装置２２０または第２消耗品２００ｂの消耗品通信装置２２０が、第２消耗品２００ｂが第２消耗品２００ｂの消耗品記憶部２１０に記憶された部門に対応する保管場所とは異なる保管場所に保管されていることを示す信号を情報処理装置４００に送信する。
【０１１７】
情報処理装置４００、第２消耗品２００ｂが第２消耗品２００ｂの消耗品記憶部２１０に記憶された部門に対応する保管場所とは異なる保管場所に保管されていることを示す信号を受信すると、第２消耗品２００ｂが第２消耗品２００ｂの消耗品記憶部２１０に記憶された部門に対応する保管場所とは異なる保管場所に保管されていることをユーザーに通知する。したがって、ユーザーは誤った保管場所に第２消耗品２００ｂを保管したことを知ることができる。
【０１１８】
また、消耗品記憶部２１０は、識別情報と部門とに加えて、さらに使用期限を記憶することが好ましい。識別情報は、消耗品２００を識別する情報を示す。部門は、消耗品２００を使用する部門を示す。使用期限は、消耗品２００の使用期限を示す。
【０１１９】
情報処理記憶部４１０は、消耗品２００ごとに、識別情報に関連付けて使用期限を記憶する。制御部４３０は、情報処理記憶部４１０に使用期限を記憶させる。
【０１２０】
所定の範囲内に複数２００の消耗品２００が位置しており、複数の消耗品２００のうちの１つが、所定の範囲外に移動した場合、所定の範囲外に移動した消耗品２００の消耗品通信装置２２０は、識別情報と使用期限とを示す信号を情報処理装置４００に送信する。
【０１２１】
制御部４３０は、消耗品通信装置２２０から受信した信号が示す使用期限よりも、使用期限切れに近い消耗品２００が所定の範囲内に位置する残りの消耗品２００の中にあるか否かを判定し、使用期限切れに近い消耗品２００がある場合、使用期限切れに近い消耗品２００があることを示す情報を電子機器５００を使用するユーザーに通知する。したがって、ユーザーは、使用期限切れに近い消耗品２００があることを知ることができ、使用期限切れに近い消耗品２００を先に使用することができる。
【０１２２】
なお、複数の消耗品２００のうちの１つが代表して所定の範囲に保管された複数の消耗品２００の識別情報を送信するようにしてもよい。図２１は、本発明の実施形態５の変形例に係る消耗品管理システム１００のブロック図である。
【０１２３】
図２１に示すように、消耗品管理システム１００は、複数の消耗品２００と、固定通信装置３００と、情報処理装置４００とを備える。複数の消耗品２００は、消耗品２００ａ〜消耗品２００ｎを含む。複数の消耗品２００は、所定の範囲に保管されている。ここでは、複数の消耗品２００のうちの１つが代表して所定の範囲に保管された複数の消耗品２００の識別情報を送信する。例えば、消耗品２００ａ〜消耗品２００ｎのうち、消耗品２００ｃが代表して消耗品２００ａ〜消耗品２００ｎの識別情報を固定通信装置３００に送信する。識別情報を代表して送信する消耗品２００は、複数の消耗品２００のうち固定通信装置３００との通信状態が最も良い消耗品２００が選択されてもよい。あるいは、識別情報を代表して送信する消耗品２００は、予め定められていてもよい。
【０１２４】
以上、図面（図１〜図２１）を参照しながら本発明の実施形態を説明した。但し、本発明は、上記の実施形態に限られるものではなく、その要旨を逸脱しない範囲で種々の態様において実施することが可能である。また、上記の実施形態で示す構成は、一例であって特に限定されるものではなく、本発明の効果から実質的に逸脱しない範囲で種々の変更が可能である。
【０１２５】
本発明の実施形態では、消耗品２００としてトナーコンテナを例に説明したが、本発明は、これに限定されない。例えば、消耗品２００は、現像ユニット、搬送ローラーまたは感光体ドラムであってもよい。
【符号の説明】
【０１２６】
１００    消耗品管理システム
２００    消耗品
２００ａ  第１消耗品
２００ｂ  第２消耗品
２１０    消耗品記憶部
２２０    消耗品通信装置
２３０    消耗品制御部
３００    固定通信装置
４００    情報処理装置
４１０    情報処理記憶部
４２０    通信部
４３０    制御部
５００    電子機器
５１０    電子機器通信装置
５１２    電子機器記憶部
５１４    電子機器通信部
５１６    電子機器制御部
６３０    棚（保管場所）
７００    ユーザー通信装置
７１０    ユーザー記憶部
７２０    ユーザー通信部
８００    端末
【図１】
2019064758.tif 000003
【図２】
2019064758.tif 000004
【図３】
2019064758.tif 000005
【図４】
2019064758.tif 000006
【図５】
2019064758.tif 000007
【図６】
2019064758.tif 000008
【図７】
2019064758.tif 000009
【図８】
2019064758.tif 000010
【図９】
2019064758.tif 000011
【図１０】
2019064758.tif 000012
【図１１】
2019064758.tif 000013
【図１２】
2019064758.tif 000014
【図１３】
2019064758.tif 000015
【図１４】
2019064758.tif 000016
【図１５】
2019064758.tif 000017
【図１６】
2019064758.tif 000018
【図１７】
2019064758.tif 000019
【図１８】
2019064758.tif 000020
【図１９】
2019064758.tif 000021
【図２０】
2019064758.tif 000022
【図２１】
2019064758.tif 000023